(57)【要約】【課題】ユーザインタフェースを必要とせずにネットワークに接続さえすればデータサーバから管理できるよう固定ＩＰアドレスが設定される健康測定データ中継装置を提供する。【解決手段】健康測定データ中継装置は、インターネット通信を行う通信手段と、インターネット上で唯一に識別されるメールアドレスおよび第１のネットワーク接続情報が記憶されている記憶手段と、上記記憶手段から読み出した上記第１のネットワーク接続情報に基づいて上記通信手段の通信設定を行う設定手段と、初めてネットワークに接続されたとき、ネットワークに所定の接続が可能になるよう、上記記憶手段から読み出したメールアドレスおよび第１のネットワーク接続情報を含むメールを生成して上記通信手段に送るメール生成手段と、を備える。【選択図】図１
2008236511.tif 000002
【特許請求の範囲】
【請求項１】
インターネット通信を行う通信手段と、
インターネット上で唯一に識別されるメールアドレスおよび第１のネットワーク接続情報が記憶されている記憶手段と、
上記記憶手段から読み出した上記第１のネットワーク接続情報に基づいて上記通信手段の通信設定を行う設定手段と、
初めてネットワークに接続されたとき、ネットワークに所定の接続が可能になるよう、上記記憶手段から読み出したメールアドレスおよび第１のネットワーク接続情報を含むメールを生成して上記通信手段に送るメール生成手段と、
を備えることを特徴とする健康測定データ中継装置。
【請求項２】
上記通信手段で受信したメールに第２のネットワーク接続情報が含まれている場合、受信したメールから上記第２のネットワーク接続情報を抽出し、且つ抽出した上記第２のネットワーク接続情報を上記記憶手段に記憶するメール解析手段を備え、
上記設定手段は、上記記憶手段に上記第２のネットワーク接続情報が記憶されているか否かを調べるとともに、記憶されている場合、上記記憶手段から読み出した上記第２のネットワーク接続情報に基づいて上記通信手段の通信設定を行うことを特徴とする請求項１に記載の健康測定データ中継装置。
【発明の詳細な説明】
【技術分野】
【０００１】
この発明は、家庭などで測定した健康データをデータサーバに中継する健康測定データ中継装置に関するものである。
【背景技術】
【０００２】
家庭に設置される健康測定データ中継装置は、健康測定機器から収集した健康データをインターネットを介してデータサーバに送信するため、Ｉｎｔｅｒｎｅｔ  Ｐｒｏｔｏｃｏｌアドレス（以下、「ＩＰアドレス」と称す）が割り付けられているとともに、接続される健康測定機器の機器情報などをデータサーバに登録する必要がある。また、健康測定データ中継装置は、無線通信により非同期に健康測定機器から健康データが送られてくるため、常に電源を投入し通信可能状態を維持しなければならず、パソコンと異なり、ユーザインタフェースを具備していない（例えば、特許文献１参照）。
【０００３】
【特許文献１】特開２００５−１０２１８０号公報
【発明の開示】
【発明が解決しようとする課題】
【０００４】
健康測定データ中継装置をインターネットに接続するために、ＩＰアドレスなどネットワークに関する設定を行わなければならない。健康データをデータサーバに送信するのみの一方向通信であれば、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）でＩＰアドレスを取得することにより、ネットワーク接続が機能する。
しかし、健康測定データ中継装置のように、データサーバ側からメンテナンスを必要とする装置は、固定ＩＰアドレスを設定しなければならない。特に、各家庭に設置されている健康測定データ中継装置をデータサーバから遠隔メンテナンスを行うためには、ネットワークに接続されている健康測定データ中継装置に固定ＩＰアドレスが割り当てられていなければならない。
固定ＩＰアドレスを設定するためには、専門知識を有する作業者が設定しなければならないし、パソコンなどを利用したユーザインタフェースを用意しなければならないので、ユーザインタフェースがない健康測定データ中継装置での設定では、作業者が機材とともに設置家庭に赴いて設置作業を行わなければならず、コスト増大を招くことになる。
【０００５】
この発明の目的は、ユーザインタフェースを必要とせずにネットワークに接続さえすればデータサーバから管理できるよう固定ＩＰアドレスが設定される健康測定データ中継装置を提供することである。
【課題を解決するための手段】
【０００６】
この発明に係る健康測定データ中継装置は、インターネット通信を行う通信手段と、インターネット上で唯一に識別されるメールアドレスおよび第１のネットワーク接続情報が記憶されている記憶手段と、上記記憶手段から読み出した上記第１のネットワーク接続情報に基づいて上記通信手段の通信設定を行う設定手段と、初めてネットワークに接続されたとき、ネットワークに所定の接続が可能になるよう、上記記憶手段から読み出したメールアドレスおよび第１のネットワーク接続情報を含むメールを生成して上記通信手段に送るメール生成手段と、を備える。
【発明の効果】
【０００７】
この発明に係る健康測定データ中継装置の効果は、ユーザが健康接続データ中継装置を購入し家庭に敷設されているインターネットに接続するだけで、健康測定データ中継装置をデータサーバから管理することができるように固定ＩＰアドレスが設定されることである。
【発明を実施するための最良の形態】
【０００８】
図１は、この発明の実施の形態による健康測定システムの構成図である。
この発明の実施の形態による健康測定システムは、サービスプロバイダ３が提供するサービスを利用するためのシステムであり、このサービスは、家庭２内で測定した健康データをサービスプロバイダ３が設置するデータサーバ４に記憶することである。
そして、この発明の実施の形態による健康測定システムは、体重、血圧、体脂肪率などの健康データを測定するための体重計、血圧計、体脂肪計などの健康測定機器５、健康測定機器５で測定した健康データを収集しデータサーバ４に中継する健康測定データ中継装置としての宅内ゲートウエイ６、健康データを記憶するデータサーバ４を備える。
【０００９】
また、この発明の実施の形態による健康測定システムでは、健康測定機器５と宅内ゲートウエイ６との間で無線９による通信が行われ、宅内ゲートウエイ６とデータサーバ４との間でインターネット１０を介する通信が行われる。
インターネット１０に接続するデータサーバ４および宅内ゲートウエイ６には、ＩＰアドレスが割り当てられる。
【００１０】
健康測定機器５は、健康データを測定する測定手段２１、健康データを測定するときに測定者を家族内で識別する家族内識別情報設定手段としてのユーザインタフェース２２、宅内ゲートウエイ６と無線通信する第３の通信手段２３を備える。
ユーザインタフェース２２は、例えば４個の押しボタンからなり、例えば、父親に第１の押しボタン、母親に第２の押しボタン、長男に第３の押しボタン、長女に第４の押しボタンを割り当てることができる。
【００１１】
第３の通信手段２３は、健康データの測定が完了すると、押されている押しボタンから家族内識別情報としての家族内ＩＤを特定する。例えば、第１の押しボタンが押されているとき「００」、第２の押しボタンが押されているとき「０１」、第３の押しボタンが押されているとき「１０」、第４の押しボタンが押されているとき「１１」が家族内ＩＤとして特定される。
また、第３の通信手段２３は、特定した家族内ＩＤおよび測定した健康データを対にして宅内ゲートウエイ６に送信する。
【００１２】
宅内ゲートウエイ６は、インターネット１０を介した通信を行う第１の通信手段２５、インターネット１０を介して受信する電子メールを解析するメール解析手段２６、ネットワーク上で唯一に識別されるメールアドレスと第１のネットワーク接続情報が記憶されている第１の記憶手段２７、第１の記憶手段２７から読み出したネットワーク接続情報を用いて第１の通信手段２５の通信設定を行う設定手段２８、第１の記憶手段２７から読み出した第１のネットワーク接続情報を含むメールを作成するメール作成手段２９を有する。
【００１３】
第１の記憶手段２７は、宅内ゲートウエイ６を購入後初めてインターネット１０に接続するために必要な第１のネットワーク接続情報としての第１の通信手段２５の初期設定値および宅内ゲートウエイ６の自己に関する情報と、データサーバ４の電子メールアドレスとが記憶されている。
設定手段２８は、宅内ゲートウエイ６を購入後初めて電源を入れたとき、第１の記憶手段２７から初期設定値を読み出し、読み出した初期設定値で第１の通信手段２５を初期設定する。
第１の通信手段２５は、初期設定が終了した時点でＤＨＣＰに従って使用期限付きＩＰアドレスを取得する。
メール作成手段２９は、データサーバ４の電子メールアドレスを宛先にし、使用期限付きＩＰアドレスを送り元とし、宅内ゲートウエイ６の自己に関する情報をメッセージとして登録メールを作成し、作成した登録メールを第１の通信手段２５に送る。
第１の通信手段２５は、受け取った登録メールをデータサーバ４に送信する。
【００１４】
第１の通信手段２５は、データサーバ４からの登録済メールを受信してメール解析手段２６に送る。
メール解析手段２６は、第１の通信手段２５で受信した登録済メールに第２のネットワーク接続情報が含まれている場合、受信した登録済メールから第２のネットワーク接続情報を抽出し、且つ抽出した第２のネットワーク接続情報を第１の記憶手段２７に記憶する。
設定手段２８は、第１の記憶手段２７に第２のネットワーク接続情報が記憶されているとき、固定ＩＰアドレスおよびネットワーク接続情報を抽出し、抽出した固定ＩＰアドレスおよびネットワーク接続情報で宅内ゲートウエイ６を設定する。
【００１５】
また、宅内ゲートウエイ６は、家族内ＩＤに対応する第１の測定者識別情報としての加入者ＩＤが予め登録されている家族内ＩＤ−加入者ＩＤ対応表が記憶されている対応表記憶手段３０、健康測定機器５と無線による通信を行う第２の通信手段３１、第２の通信手段３１で健康測定機器５から送信される家族内ＩＤを用いて対応表記憶手段３０に記憶される家族内ＩＤ−加入者ＩＤ対応表を検索して加入者ＩＤを抽出する検索手段３２を有する。
【００１６】
家族内ＩＤ−加入者ＩＤ対応表には、家族内ＩＤと加入者ＩＤが対応付けられて登録されている。例えば、家族内ＩＤ「００」に対して加入者ＩＤ「ＡＡＡＡＡＡ」、家族内ＩＤ「０１」に対して加入者ＩＤ「ＢＢＢＢＢＢ」、家族内ＩＤ「１０」に対して加入者ＩＤ「ＣＣＣＣＣＣ」、家族内ＩＤ「１１」に対して加入者ＩＤ「ＤＤＤＤＤＤ」が対応付けられている。
【００１７】
検索手段３２は、第２の通信手段３１で受信した家族内ＩＤを用いて家族内ＩＤ−加入者ＩＤ対応表を検索する。例えば、受信した家族内ＩＤが「１０」のときには加入者ＩＤとして「ＣＣＣＣＣＣ」が抽出される。
第１の通信手段２５は、第２の通信手段３１で受信した健康データと抽出した加入者ＩＤとを対にしてデータサーバ４に送信する。
【００１８】
データサーバ４は、インターネット１０を介して宅内ゲートウエイ６と通信を行う第４の通信手段３５、加入の申請をサービスプロバイダ３が受理したとき、サービスプロバイダ３が加入者ＩＤのための領域を設定し、その領域に健康データが加入者ＩＤ毎に記憶される第２の記憶手段３６、第４の通信手段３５で受信した加入者ＩＤに基づいて第２の記憶手段３６の記憶領域に、加入者ＩＤと対で受信した健康データを書き込む書込処理手段３７、第４の通信手段３５で登録メールを受信したとき登録装置データベース３９に記録するとともに登録済メールを該当する宅内ゲートウエイ６に返信する登録手段３８を有する。
【００１９】
第４の通信手段３５は、宅内ゲートウエイ６からの登録メールを受信し登録手段３８に送る。
登録手段３８は、受け取った登録メールのメッセージに記載されている当該宅内ゲートウエイ６の自己に関する情報を登録装置データベース３９に記録する。
また、登録手段３８は、当該宅内ゲートウエイ６に固定ＩＰアドレスを割り当て、登録メールの返信として登録済メールを作成し、作成した登録済メールを第４の通信手段３５に送る。登録済メールのメッセージとして、第２のネットワーク接続情報としての割り当てた固定ＩＰアドレスおよびネットワーク接続情報を記載する。
第４の通信手段３５は、受け取った登録済メールを該当する宅内ゲートウエイ６に送信する。
【００２０】
次に、測定された健康データがデータサーバ４に記憶されるまでの流れを説明する。
測定者は、自分に割り当てられた押しボタンを押してから健康測定機器５を用いて測定を開始する。健康測定機器５は、健康データを得たら、押しボタンから得る家族内ＩＤおよび健康データを対にして宅内ゲートウエイ６に送信する。宅内ゲートウエイ６は、受信した家族内ＩＤを用いて家族内ＩＤー加入者ＩＤ対応表を検索する。家族内ＩＤに対応する加入者ＩＤがないときには対の情報を廃棄する。家族内ＩＤに対応する加入者ＩＤがあるときには、健康データと加入者ＩＤを対にしてデータサーバ４に送信する。データサーバ４は、加入者ＩＤのための記憶領域に健康データを記憶する。
【００２１】
次に、新たに宅内ゲートウエイ６を購入し初めてインターネット１０に接続したときに行われる処理の手順を説明する。
宅内ゲートウエイ６を購入後初めて電源を入れると、予め記憶されている初期設定値を読み出し、読み出した初期設定値で第１の通信手段２５を初期設定する。次に、第１の通信手段２５は、初期設定が終了した時点でＤＨＣＰに従って使用期限付きＩＰアドレスを取得する。次に、メール作成手段２９は、データサーバ４の電子メールアドレスを宛先にし、使用期限付きＩＰアドレスを送り先とし、宅内ゲートウエイ６の自己に関する情報をメッセージとして登録メールを作成し、作成した登録メールを第１の通信手段２５に送る。第１の通信手段２５は、受け取った登録メールをデータサーバ４に送信する。
【００２２】
データサーバ４は、受け取った登録メールのメッセージに記載されている当該宅内ゲートウエイ６の自己に関する情報を登録装置データベース３９に記録する。次に、当該宅内ゲートウエイ６に固定ＩＰアドレスを割り当て、登録メールの返信として登録済メールを作成し、作成した登録済メールを第４の通信手段３５に送る。第４の通信手段３５は、受け取った登録済メールを該当する宅内ゲートウエイ６に送信する。
【００２３】
第１の通信手段２５は、データサーバ４からの登録済メールを受信してメール解析手段２６に送る。メール解析手段２６は、受け取った登録済メールから固定ＩＰアドレスおよびネットワーク接続情報を抽出し第１の記憶手段２７に記憶する。設定手段２８は第１の記憶手段２７に記憶された固定ＩＰアドレスおよびネットワーク接続情報を宅内ゲートウエイ６に設定する。
【００２４】
この発明の実施の形態による健康測定データ中継装置は、新たに購入してネットワークに接続すると予め記憶されているネットワーク接続情報に基づいて接続設定が行われ、予め記憶されているデータサーバ４のメールアドレスを用いてデータサーバ４に登録メールを送ることにより、データサーバ４に登録され固定ＩＰアドレスが割り付けられるので、ユーザインタフェースを用いなくても固定ＩＰアドレスを設定することができる。
【００２５】
また、データサーバ４から送信されたメールに含まれる第２のネットワーク接続情報に基づいて固定ＩＰアドレスを用いた通信設定が行われるので、固定ＩＰアドレスを使うデータサーバ４から健康測定データ中継装置の管理が行える。
【図面の簡単な説明】
【００２６】
【図１】この発明の実施の形態による健康測定システムの構成図である。
【符号の説明】
【００２７】
２  家庭、３  サービスプロバイダ、４  データサーバ、５  健康測定機器、６  宅内ゲートウエイ、９  無線、１０  インターネット、２１  測定手段、２２  ユーザインタフェース、２３  第３の通信手段、２５  第１の通信手段、２６  メール解析手段、２７  第１の記憶手段、２８  設定手段、２９  メール作成手段、３０  対応表記憶手段、３１  第２の通信手段、３２  検索手段、３５  第４の通信手段、３６  第２の記憶手段、３７  書込処理手段、３８  登録手段、３９  登録装置データベース。
【図１】
2008236511.tif 000003